(57)【要約】【課題】移動通信端末のユーザが在圏エリアを意識することなく、在圏エリアで必要かつユーザが意図したコンタクト情報を含むコンタクトリストを取得可能な移動通信端末および移動通信システムを提供する。【解決手段】サーバ２２は、複数のコンタクト情報を格納したデータベース２３を備え、位置登録システム２１から移動通信端末１１の移動加入者識別子およびエリア情報を受信すると、受信した移動通信端末のエリア情報と一致するコンタクト情報を抽出し、抽出したコンタクト情報を含むコンタクトリストを生成して、位置登録システムから受信した移動加入者識別子によって識別される移動通信端末へ、生成したコンタクトリストを送信する。移動通信端末は、サーバからコンタクトリストを受信する。【選択図】図１
2008048259.tif 000002
【特許請求の範囲】
【請求項１】
移動通信端末と、該移動通信端末の位置情報を登録する位置登録システムと、コンタクト情報を提供するサーバとを備えた移動通信システムにおいて、
前記移動通信端末は、
移動加入者識別子を含む位置登録要求を送信する手段と、
前記サーバからコンタクトリストを受信する手段と、
受信したコンタクトリストを格納する手段とを備え、
前記位置登録システムは、
前記移動通信端末からの前記位置登録要求を受信する手段と、
前記サーバへ前記移動加入者識別子および前記移動通信端末のエリア情報を送信する手段とを備え、
前記サーバは、
エリア情報と関連づけられた複数のコンタクト情報を格納したデータベースと、
前記位置登録システムから前記移動加入者識別子および前記移動通信端末のエリア情報を受信する手段と、
受信した前記移動加入者識別子によって識別される前記移動通信端末へ、前記移動通信端末のエリア情報と一致するコンタクト情報を含むコンタクトリストを送信する手段とを備えたことを特徴とする移動通信システム。
【請求項２】
前記サーバは、
前記複数のコンタクト情報のいずれを抽出するかを選択するためのユーザインターフェースを提供する手段と、
前記複数のコンタクト情報のいずれを抽出するかを示す選択条件を前記移動加入者識別子と関連づけて格納する手段と、
格納した前記選択条件により抽出すると示されたコンタクト情報を抽出する手段と、
抽出されたコンタクト情報について、エリア情報毎のコンタクトリストを生成する手段と、
前記生成したコンタクトリストを前記移動加入者識別子と関連づけて格納する手段と
をさらに備えたことを特徴とする請求項１に記載の移動通信システム。
【請求項３】
前記サーバは、
受信した前記移動通信端末のエリア情報と一致するコンタクト情報を前記複数のコンタクト情報から抽出する手段と、
抽出したコンタクト情報を含むコンタクトリストを生成する手段と
をさらに備えたことを特徴とする請求項１に記載の移動通信システム。
【請求項４】
前記サーバは、
前記複数のコンタクト情報のいずれを抽出するかを選択するためのユーザインターフェースを提供する手段と、
前記複数のコンタクト情報のいずれを抽出するかを示す選択条件を前記移動加入者識別子と関連づけて格納する手段とをさらに備え、
前記コンタクト情報を抽出する手段は、前記選択条件により抽出すると示されかつ受信した前記移動通信端末のエリア情報と一致するコンタクト情報を前記複数のコンタクト情報から抽出することを特徴とする請求項３に記載の移動通信システム。
【請求項５】
前記サーバは、
前記移動加入者識別子および前記エリア情報と関連づけられた追加コンタクト情報を登録するためのユーザインターフェースを提供する手段と、
登録された追加コンタクト情報を格納する手段とをさらに備え、
前記コンタクト情報を抽出する手段は、受信した前記移動加入者識別子と関連づけられた前記追加コンタクト情報から、受信した前記移動通信端末のエリア情報と一致する追加コンタクト情報をさらに抽出し、
前記コンタクトリストを生成する手段は、抽出した追加コンタクト情報をさらに含むコンタクトリストを生成することを特徴とする請求項２、３または４に記載の移動通信システム。
【請求項６】
前記サーバの前記コンタクトリストを送信する手段は、前記移動通信端末に対する制御用メールで前記生成したコンタクトリストを送信する手段であって、当該制御用メールには前記生成したコンタクトリストの送信であることを示す識別子が含まれ、
前記移動通信端末の前記サーバからコンタクトリストを受信する手段は、制御用メールを受信する手段と、識別子により受信した制御用メールがコンタクトリストの送信であるどうかを判定する手段とを含み、
前記移動通信端末の前記受信したコンタクトリストを格納する手段は、受信した制御用メールがコンタクトリストの送信であると判定された場合に、前記コンタクトリストを格納することを特徴とする請求項１乃至５のいずれかに記載の移動通信システム。
【請求項７】
移動通信端末へコンタクト情報を含むコンタクトリストを提供するサーバであって、
エリア情報と関連づけられた複数のコンタクト情報を格納したデータベースと、
位置登録システムから前記移動通信端末を識別する移動加入者識別子および前記移動通信端末のエリア情報を受信する手段と、
受信した前記移動加入者識別子によって識別される前記移動通信端末へ、前記移動通信端末のエリア情報と一致するコンタクト情報を含むコンタクトリストを送信する手段とを備えたことを特徴とするサーバ。
【請求項８】
前記複数のコンタクト情報のいずれを抽出するかを選択するためのユーザインターフェースを提供する手段と、
前記複数のコンタクト情報のいずれを抽出するかを示す選択条件を前記移動加入者識別子と関連づけて格納する手段と、
格納した前記選択条件により抽出すると示されたコンタクト情報を抽出する手段と、
抽出されたコンタクト情報について、エリア情報毎のコンタクトリストを生成する手段と、
前記生成したコンタクトリストを前記移動加入者識別子と関連づけて格納する手段と
をさらに備えたことを特徴とする請求項７に記載のサーバ。
【請求項９】
受信した前記移動通信端末のエリア情報と一致するコンタクト情報を前記複数のコンタクト情報から抽出する手段と、
抽出したコンタクト情報を含むコンタクトリストを生成する手段と
をさらに備えたことを特徴とする請求項７に記載のサーバ。
【請求項１０】
前記複数のコンタクト情報のいずれを抽出するかを選択するためのユーザインターフェースを提供する手段と、
前記複数のコンタクト情報のいずれを抽出するかを示す選択条件を前記移動加入者識別子と関連づけて格納する手段とをさらに備え、
前記コンタクト情報を抽出する手段は、前記選択条件により抽出すると示されかつ受信した前記移動通信端末のエリア情報と一致するコンタクト情報を前記複数のコンタクト情報から抽出することを特徴とする請求項９に記載のサーバ。
【請求項１１】
前記移動加入者識別子および前記エリア情報と関連づけられた追加コンタクト情報を登録するためのユーザインターフェースを提供する手段と、
登録された追加コンタクト情報を格納する手段とをさらに備え、
前記コンタクト情報を抽出する手段は、受信した前記移動加入者識別子と関連づけられた前記追加コンタクト情報から、受信した前記移動通信端末のエリア情報と一致する追加コンタクト情報をさらに抽出し、
前記コンタクトリストを生成する手段は、抽出した追加コンタクト情報をさらに含むコンタクトリストを生成することを特徴とする請求項８、９または１０に記載のサーバ。
【請求項１２】
前記コンタクトリストを送信する手段は、前記移動通信端末に対する制御用メールで前記生成したコンタクトリストを送信する手段であって、当該制御用メールには前記生成したコンタクトリストの送信であることを示す識別子が含まれることを特徴とする請求項７乃至１１のいずれかに記載のサーバ。
【請求項１３】
移動通信端末であって、
移動加入者識別子を含む位置登録要求を送信する手段と、
前記サーバからコンタクトリストを受信する手段と、
受信したコンタクトリストを格納する手段とを備え、
前記サーバからコンタクトリストを受信する手段は、制御用メールを受信する手段と、識別子により受信した制御用メールがコンタクトリストの送信であるどうかを判定する手段とを含み、
前記受信したコンタクトリストを格納する手段は、受信した制御用メールがコンタクトリストの送信であると判定された場合に、前記コンタクトリストを格納することを特徴とする移動通信端末。
【請求項１４】
移動通信端末と、該移動通信端末の位置情報を登録する位置登録システムと、エリア情報と関連づけられた複数のコンタクト情報を格納したデータベースを有するサーバとを備えた移動通信システムにおける通信方法であって、
前記移動通信端末において、前記位置登録システムへ移動加入者識別子を含む位置登録要求を送信するステップと、
位置登録システムにおいて、
前記移動通信端末からの前記位置登録要求を受信するステップと、
前記サーバへ前記移動加入者識別子および前記移動通信端末のエリア情報を送信するステップと、
前記サーバにおいて、
前記位置登録システムから前記移動加入者識別子および前記移動通信端末のエリア情報を受信するステップと、
受信した前記移動加入者識別子によって識別される前記移動通信端末へ、前記移動通信端末のエリア情報と一致するコンタクト情報を含むコンタクトリストを送信するステップと、
前記移動通信端末において、
前記サーバから前記コンタクトリストを受信するステップと、
受信したコンタクトリストを格納するステップと
を備えることを特徴とする通信方法。
【請求項１５】
エリア情報と関連づけられた複数のコンタクト情報を格納したデータベースを有するサーバにおける通信方法であって、
位置登録システムから移動加入者識別子および移動通信端末のエリア情報を受信するステップと、
受信した前記移動加入者識別子によって識別される前記移動通信端末へ、前記移動通信端末のエリア情報と一致するコンタクト情報を含むコンタクトリストを送信するステップと
を備えることを特徴とする通信方法。
【請求項１６】
制御用メールを受信する移動通信端末における通信方法であって、
移動加入者識別子を含む位置登録要求を送信するステップと、
制御用メールを受信して、識別子により受信した制御用メールがコンタクトリストの送信であるどうかを判定するステップと、
受信した制御用メールがコンタクトリストの送信であると判定された場合に、前記コンタクトリストを格納するステップと
を備えることを特徴とする通信方法。
【発明の詳細な説明】
【技術分野】
【０００１】
本発明は、移動通信システム、サーバ、移動通信端末および通信方法に関し、より詳細には、コンタクト情報を含むコンタクトリスト通信する移動通信システム、サーバ、移動通信端末および通信方法に関する。
【背景技術】
【０００２】
情報処理技術および通信技術の発展により、移動通信端末は移動しながらに通話や、電子メールやインターネットなどのアプリケーションを使用することができ、このための電話番号や電子メールアドレスを格納するアドレス帳あるいはＵＲＬを格納するブックマーク（以下、電話番号、電子メールアドレス、ＵＲＬおよびこれらに関連する名称や住所などの情報をコンタクト情報ともいい、１つまたは複数のコンタクト情報のリストをコンタクトリストともいう。）を格納することができるようになっている。
【０００３】
また、近年の移動通信端末は、海外においても通話、いわゆる海外ローミングが可能である。上記のコンタクトリストに海外での通話や、電子メールやインターネットなどのアプリケーションの使用のためのコンタクト情報を登録することで、このような海外ローミング時の利便性を高めることができる。
【０００４】
しかしながら、移動通信端末のコンタクトリストへ渡航先で必要なコンタクト情報を登録すると、渡航先が増えるたびに登録されるコンタクト情報も増加する。この結果、ある渡航先では必要ではないコンタクト情報が多く含まれ、必要なコンタクト情報が容易に見つけられなくなる問題がある。
【０００５】
従来、このような問題を解決するための電話番号情報提供システムとして、複数の役務名称と共に各々の役務名称に属する電話番号情報を国別に蓄積保持し該電話番号情報を提供する情報提供装置と、この情報提供装置に所望の役務名称、現在の位置情報又は／及び選択国に関する情報を送信して情報提供を要求すると共に、情報提供装置から当該役務名称に関する電話番号情報を受信して電話帳を作成する移動通信端末とを備えたシステムが知られている。（例えば、特許文献１参照）。
【０００６】
【特許文献１】特開２００３−１３４２２０号公報（０００８、００６０段落）
【発明の開示】
【発明が解決しようとする課題】
【０００７】
しかしながら、上記のシステムでは、移動通信端末が、情報提供装置に対して所望の役務名称に関する情報を送信する必要があり、このため、移動通信端末のユーザは、所望の役務名称に関する情報を作成あるいは編集して、送信する必要がある。
【０００８】
また、上記のシステムでは、移動通信端末が情報提供装置に対して現在の位置情報又は／及び選択国に関する情報を送信する必要があり、このため、移動通信端末は例えばＧＰＳ（Global Positioning System）などの位置測定手段を備える必要がある。
【０００９】
さらに、移動通信端末が情報提供装置から受信する電話番号情報は、予め情報提供装置に蓄積保持された情報に限られるため、移動通信端末のユーザが意図した電話番号情報を取得できない場合がある。このような場合には、渡航するたびにインターネット上で必要な情報を探さなければならない。
【００１０】
本発明は、このような問題に鑑みてなされたもので、その目的とするところは、移動通信端末のユーザが在圏エリアを意識することなく、在圏エリアで必要かつユーザが意図したコンタクト情報を含むコンタクトリストを取得可能な移動通信端末、該コンタクト情報を提供するサーバおよび移動通信システムを提供することにある。
【課題を解決するための手段】
【００１１】
本発明は、このような目的を達成するために、請求項１に記載の発明は、移動通信端末と、該移動通信端末の位置情報を登録する位置登録システムと、コンタクト情報を提供するサーバとを備えた移動通信システムにおいて、前記移動通信端末は、移動加入者識別子を含む位置登録要求を送信する手段と、前記サーバからコンタクトリストを受信する手段と、受信したコンタクトリストを格納する手段とを備え、前記位置登録システムは、前記移動通信端末からの前記位置登録要求を受信する手段と、前記サーバへ前記移動加入者識別子および前記移動通信端末のエリア情報を送信する手段とを備え、前記サーバは、エリア情報と関連づけられた複数のコンタクト情報を格納したデータベースと、前記位置登録システムから前記移動加入者識別子および前記移動通信端末のエリア情報を受信する手段と、受信した前記移動加入者識別子によって識別される前記移動通信端末へ、前記移動通信端末のエリア情報と一致するコンタクト情報を含むコンタクトリストを送信する手段とを備えたことを特徴とする。
【００１２】
請求項２に記載の発明は、請求項１に記載の移動通信システムであって、前記サーバは、前記複数のコンタクト情報のいずれを抽出するかを選択するためのユーザインターフェースを提供する手段と、前記複数のコンタクト情報のいずれを抽出するかを示す選択条件を前記移動加入者識別子と関連づけて格納する手段と、格納した前記選択条件により抽出すると示されたコンタクト情報を抽出する手段と、抽出されたコンタクト情報について、エリア情報毎のコンタクトリストを生成する手段と、前記生成したコンタクトリストを前記移動加入者識別子と関連づけて格納する手段とをさらに備えたことを特徴とする。
【００１３】
請求項３に記載の発明は、請求項１に記載の移動通信システムであって、前記サーバは、受信した前記移動通信端末のエリア情報と一致するコンタクト情報を前記複数のコンタクト情報から抽出する手段と、抽出したコンタクト情報を含むコンタクトリストを生成する手段とをさらに備えたことを特徴とする。
【００１４】
請求項４に記載の発明は、請求項３に記載の移動通信システムであって、前記サーバは、前記複数のコンタクト情報のいずれを抽出するかを選択するためのユーザインターフェースを提供する手段と、前記複数のコンタクト情報のいずれを抽出するかを示す選択条件を前記移動加入者識別子と関連づけて格納する手段とをさらに備え、前記コンタクト情報を抽出する手段は、前記選択条件により抽出すると示されかつ受信した前記移動通信端末のエリア情報と一致するコンタクト情報を前記複数のコンタクト情報から抽出することを特徴とする。
【００１５】
請求項５に記載の発明は、請求項２、３または４に記載の移動通信システムであって、前記サーバは、前記移動加入者識別子および前記エリア情報と関連づけられた追加コンタクト情報を登録するためのユーザインターフェースを提供する手段と、登録された追加コンタクト情報を格納する手段とをさらに備え、前記コンタクト情報を抽出する手段は、受信した前記移動加入者識別子と関連づけられた前記追加コンタクト情報から、受信した前記移動通信端末のエリア情報と一致する追加コンタクト情報をさらに抽出し、前記コンタクトリストを生成する手段は、抽出した追加コンタクト情報をさらに含むコンタクトリストを生成することを特徴とする。
【００１６】
請求項６に記載の発明は、請求項１乃至５のいずれかに記載の移動通信システムであって、前記サーバの前記コンタクトリストを送信する手段は、前記移動通信端末に対する制御用メールで前記生成したコンタクトリストを送信する手段であって、当該制御用メールには前記生成したコンタクトリストの送信であることを示す識別子が含まれ、前記移動通信端末の前記サーバからコンタクトリストを受信する手段は、制御用メールを受信する手段と、識別子により受信した制御用メールがコンタクトリストの送信であるどうかを判定する手段とを含み、前記移動通信端末の前記受信したコンタクトリストを格納する手段は、受信した制御用メールがコンタクトリストの送信であると判定された場合に、前記コンタクトリストを格納することを特徴とする。
【００１７】
請求項７に記載の発明は、移動通信端末へコンタクト情報を含むコンタクトリストを提供するサーバであって、エリア情報と関連づけられた複数のコンタクト情報を格納したデータベースと、位置登録システムから前記移動通信端末を識別する移動加入者識別子および前記移動通信端末のエリア情報を受信する手段と、受信した前記移動加入者識別子によって識別される前記移動通信端末へ、前記移動通信端末のエリア情報と一致するコンタクト情報を含むコンタクトリストを送信する手段とを備えたことを特徴とする。
【００１８】
請求項８に記載の発明は、請求項７に記載のサーバであって、前記複数のコンタクト情報のいずれを抽出するかを選択するためのユーザインターフェースを提供する手段と、前記複数のコンタクト情報のいずれを抽出するかを示す選択条件を前記移動加入者識別子と関連づけて格納する手段と、格納した前記選択条件により抽出すると示されたコンタクト情報を抽出する手段と、抽出されたコンタクト情報について、エリア情報毎のコンタクトリストを生成する手段と、前記生成したコンタクトリストを前記移動加入者識別子と関連づけて格納する手段とをさらに備えたことを特徴とする。
【００１９】
請求項９に記載の発明は、請求項７に記載のサーバであって、受信した前記移動通信端末のエリア情報と一致するコンタクト情報を前記複数のコンタクト情報から抽出する手段と、抽出したコンタクト情報を含むコンタクトリストを生成する手段とをさらに備えたことを特徴とする。
【００２０】
請求項１０に記載の発明は、請求項９に記載のサーバであって、前記複数のコンタクト情報のいずれを抽出するかを選択するためのユーザインターフェースを提供する手段と、前記複数のコンタクト情報のいずれを抽出するかを示す選択条件を前記移動加入者識別子と関連づけて格納する手段とをさらに備え、前記コンタクト情報を抽出する手段は、前記選択条件により抽出すると示されかつ受信した前記移動通信端末のエリア情報と一致するコンタクト情報を前記複数のコンタクト情報から抽出することを特徴とする。
【００２１】
請求項１１に記載の発明は、請求項８、９または１０に記載のサーバであって、前記移動加入者識別子および前記エリア情報と関連づけられた追加コンタクト情報を登録するためのユーザインターフェースを提供する手段と、登録された追加コンタクト情報を格納する手段とをさらに備え、前記コンタクト情報を抽出する手段は、受信した前記移動加入者識別子と関連づけられた前記追加コンタクト情報から、受信した前記移動通信端末のエリア情報と一致する追加コンタクト情報をさらに抽出し、前記コンタクトリストを生成する手段は、抽出した追加コンタクト情報をさらに含むコンタクトリストを生成することを特徴とする。
【００２２】
請求項１２に記載の発明は、請求項７乃至１１のいずれかに記載のサーバであって、前記コンタクトリストを送信する手段は、前記移動通信端末に対する制御用メールで前記生成したコンタクトリストを送信する手段であって、当該制御用メールには前記生成したコンタクトリストの送信であることを示す識別子が含まれることを特徴とする。
【００２３】
請求項１３に記載の発明は、移動通信端末であって、移動加入者識別子を含む位置登録要求を送信する手段と、前記サーバからコンタクトリストを受信する手段と、受信したコンタクトリストを格納する手段とを備え、前記サーバからコンタクトリストを受信する手段は、制御用メールを受信する手段と、識別子により受信した制御用メールがコンタクトリストの送信であるどうかを判定する手段とを含み、前記受信したコンタクトリストを格納する手段は、受信した制御用メールがコンタクトリストの送信であると判定された場合に、前記コンタクトリストを格納することを特徴とする。
【００２４】
請求項１４に記載の発明は、移動通信端末と、該移動通信端末の位置情報を登録する位置登録システムと、エリア情報と関連づけられた複数のコンタクト情報を格納したデータベースを有するサーバとを備えた移動通信システムにおける通信方法であって、前記移動通信端末において、前記位置登録システムへ移動加入者識別子を含む位置登録要求を送信するステップと、位置登録システムにおいて、前記移動通信端末からの前記位置登録要求を受信するステップと、前記サーバへ前記移動加入者識別子および前記移動通信端末のエリア情報を送信するステップと、前記サーバにおいて、前記位置登録システムから前記移動加入者識別子および前記移動通信端末のエリア情報を受信するステップと、受信した前記移動加入者識別子によって識別される前記移動通信端末へ、前記移動通信端末のエリア情報と一致するコンタクト情報を含むコンタクトリストを送信するステップと、前記移動通信端末において、前記サーバから前記コンタクトリストを受信するステップと、受信したコンタクトリストを格納するステップとを備えることを特徴とする。
【００２５】
請求項１５に記載の発明は、エリア情報と関連づけられた複数のコンタクト情報を格納したデータベースを有するサーバにおける通信方法であって、位置登録システムから移動加入者識別子および移動通信端末のエリア情報を受信するステップと、受信した前記移動加入者識別子によって識別される前記移動通信端末へ、前記移動通信端末のエリア情報と一致するコンタクト情報を含むコンタクトリストを送信するステップとを備えることを特徴とする。
【００２６】
請求項１６に記載の方法は、制御用メールを受信する移動通信端末における通信方法であって、移動加入者識別子を含む位置登録要求を送信するステップと、制御用メールを受信して、識別子により受信した制御用メールがコンタクトリストの送信であるどうかを判定するステップと、受信した制御用メールがコンタクトリストの送信であると判定された場合に、前記コンタクトリストを格納するステップとを備えることを特徴とする。
【発明の効果】
【００２７】
以上説明したように、移動通信端末のユーザが在圏エリアを意識することなく、在圏エリアで必要かつユーザが意図したコンタクト情報を含むコンタクトリストを取得可能な移動通信端末および移動通信システムならびにコンタクト情報を提供するサーバを提供することが可能となる。
【発明を実施するための最良の形態】
【００２８】
本発明によれば、移動通信端末が位置登録を行った際に、サーバが、位置登録システムからの通知により当該移動通信端末の在圏エリアを識別し、当該在圏エリアに関連したコンタクト情報を含むコンタクトリストを移動通信端末に送信する移動通信システムが提供される。以下、図面を参照しながら本発明の実施形態について詳細に説明する。
【００２９】
図１は、本発明の一実施形態にかかる移動通信システムの概略構成図である。移動通信システムは、移動通信端末１１のローミング先の網の例である海外網１０と移動通信端末１１のホーム網２０とを含む。
【００３０】
海外網１０は、移動通信端末１１からの位置登録要求を受けローミング先の位置情報の登録などを行う位置登録システム１２を含む。位置登録システム１２はＶＬＲ（Visitor Location Register）１３又はＳＧＳＮ（Serving GPRS Support Node）１４とを含む。また、海外網１０は、図示しない基地局、基地局制御装置、及び交換機を含む。
【００３１】
ホーム網２０は、位置登録システムであるＨＬＲ（Home Location Register）２１と、データベース（ＤＢ）２３を備えたサーバ２２とを含む。
【００３２】
ホーム網２０は海外網１０と通信網で接続され、これによりローミング先の位置登録システム１２とホーム網２０のＨＬＲ２１とは、移動通信端末１１がローミング先の海外網１０に在圏するのに必要な情報を互いに通信する。
【００３３】
また、海外網１０にローミング中の移動通信端末１１に対するホーム網２０からの制御情報などを送信することができる。制御情報などの送信には、例えば、制御用のメール（例えば、制御用ＳＭＳ（Short Mail Service））を用いることができる。制御用メールのメールヘッダには、制御用メールに含まれる情報を識別する識別子が含まれる。制御用ＳＭＳ（Short Message Service）あるいは制御用のメールを使用することにより、移動通信端末のメールボックスには保存せずに、特定のメニューや電話帳などのアプリケーションによってアクセス可能なフォーマットとすることができる。
【００３４】
位置登録システム１２は、ローミング中の移動通信端末１１の位置登録要求を受けるたびに、ホーム網２０の位置登録システム（ＨＬＲ）２１に対して、移動通信端末１１にサービスを提供する交換機の識別番号や国情報（ＣＣ：Country Code）または国番号などの移動通信端末１１のエリア情報および移動加入者識別子（ＩＭＳＩ：International Mobile Subscriber Identity）を通知する。
【００３５】
位置登録システム２１は、位置登録システム１２からエリア情報および移動加入者識別子が通知される度に、サーバ２２へこれらを通知する。これにより、サーバ２２は、移動通信端末、当該移動通信端末が位置登録を行ったことおよび該移動通信端末の在圏エリアを識別することができる。
【００３６】
データベース２３は、国情報や都市情報などのエリア情報と関連づけられた複数のコンタクト情報を格納する。
【００３７】
図６（ａ）は、データベース２３に格納されるコンタクト情報の例を示す。各コンタクト情報は、電話番号、ＵＲＬおよびメールアドレスが、カテゴリ、名称、住所およびメモとともに、国や都市といったエリア情報と関連づけられている。
【００３８】
サーバ２２は、位置登録システム２１からエリア情報および移動加入者識別子が通知されると、データベース２３から受信したエリア情報と一致するコンタクト情報を抽出してコンタクトリストを生成し、受信した移動加入者識別子によって識別される移動通信端末１１へ生成したコンタクトリストを送信する。コンタクトリストの生成およびコンタクトリストの送信をそれぞれサーバ２２とは別のサーバで実装してもよい。
【００３９】
コンタクトリストは、コンタクトリストの送信を示す識別子がヘッダに含まれた制御用メールに含めて移動通信端末１１へ送信することができる。なお、位置登録システム２１からエリア情報が移動通信端末１１にサービスを提供する交換機の識別番号や国番号（コード）で通知される場合などに、これらの番号（コード）を解釈して国名や都市名に翻訳するデータベースをサーバ２２は適宜備える。
【００４０】
また、サーバ２２は、ユーザがデータベース２３に格納された複数のコンタクト情報のいずれを抽出するかを選択するためのユーザインターフェースを移動通信端末１１またはインターネット３０を介して接続されるパーソナルコンピュータ（ＰＣ）３１に対して提供する。
【００４１】
図２は、ユーザが複数のコンタクト情報のいずれを抽出するかを選択するために、サーバ２２が移動通信端末１１またはパーソナルコンピュータ３１に対して提供するユーザインターフェースの例を示している。図２は、ユーザインターフェースが複数のコンタクト情報のカテゴリまたは名称と、それに対応するチェックボックスとを含む入力画面として構成される例である。図２（ａ）は、すべてのチェックボックスがチェックされた（すなわち、データベース２３に格納されたすべてのコンタクト情報が抽出の対象とされた）入力画面のデフォルト状態を示す。図２（ｂ）は、ユーザの選択により、警察、大使館、ＡＡ旅行社および観光案内のチェックボックスがチェックされた（すなわち、警察、大使館、ＡＡ旅行社および観光案内のコンタクト情報が抽出の対象とされが）入力画面の状態を示す。
【００４２】
さらに、サーバ２２は、ユーザの選択結果、すなわちデータベース２３に格納された複数のコンタクト情報のいずれを抽出するかを示す選択条件をユーザＩＤ、パスワードおよび移動加入者識別子と関連づけて格納する。なお、ユーザＩＤおよびパスワードは、選択情報の変更および追加コンタクト情報の登録、削除および変更に適宜用いられるものであり、本発明を実施する態様によっては不要あるいは別のものを代用することができることはいうまでもない。
【００４３】
この場合、サーバ２２は、選択条件で抽出の対象とされたコンタクト情報のうちから、エリア情報毎にコンタクト情報を抽出して、予めエリア情報毎のコンタクトリストを生成してエリア情報および移動加入者識別子と関連付けて格納しておき、位置登録システム２１からエリア情報および移動加入者識別子が通知されると、受信したエリア情報および移動加入者識別子と一致するコンタクトリストを抽出して、受信した移動加入者識別子によって識別される移動通信端末１１へ抽出したコンタクトリストを送信するように構成してもよい。図２（ａ）および（ｂ）では、予めエリア情報毎のコンタクトリストを生成しておく場合の例を示している。
【００４４】
図６（ｃ）は、サーバ２２に格納された選択条件の例を示す。
【００４５】
ユーザは、このユーザインターフェースを通じて、データベース２３に格納された複数のコンタクト情報のいずれを抽出するかを容易に選択することができ、不要なコンタクト情報が送信されることを抑制することができる。サーバ２２が予めコンタクトリストを生成している場合には、移動通信端末の在圏エリアを識別からコンタクトリストの送信までの時間を短縮できる。また、サーバ２２が移動通信端末の在圏エリアを識別してからコンタクトリストを生成する場合には、最新のコンタクト情報を含むコンタクトリストが当該移動通信端末へ送信され、またサーバ２２に実装されるメモリなどの記憶媒体を増大化することを抑制することができる。
【００４６】
また、サーバ２２は、ユーザがコンタクト情報を登録するためのユーザインターフェースを移動通信端末１１またはパーソナルコンピュータ３１提供する。
【００４７】
図３は、ユーザがコンタクト情報を登録するために、サーバ２２が移動通信端末１１またはパーソナルコンピュータ３１に対して提供するユーザインターフェースの例を示している。図３は、ユーザインターフェースが、電話番号およびメールアドレスを、関連するエリア情報（国、都市）および名称とともに入力できる入力画面として構成される例である。入力された電話番号等は関連づけされて追加コンタクト情報としてサーバ２２に格納される。追加コンタクト情報は、移動加入者識別子、ユーザＩＤ、パスワードと関連づけてサーバ２３に格納される。この場合、サーバ２２は、位置登録システム２１から通知された移動加入者識別子と関連する追加コンタクト情報から、位置登録システム２１から通知されたエリア情報と一致する追加コンタクト情報を抽出する。他の抽出されたコンタクト情報および追加コンタクト情報はコンタクトリストに含められ、移動通信端末１１へ送信される。あるいは、エリア情報毎に追加コンタクト情報を抽出して、予めエリア情報毎のコンタクト情報および追加コンタクト情報を含むコンタクトリストを生成してエリア情報および移動加入者識別子と関連付けて格納しておき、位置登録システム２１からエリア情報および移動加入者識別子が通知されると、受信したエリア情報および移動加入者識別子と一致するコンタクトリストを抽出して、受信した移動加入者識別子によって識別される移動通信端末１１へ抽出したコンタクトリストを送信するように構成してもよい。
【００４８】
図６（ｂ）は、サーバ２２に格納された追加コンタクト情報の例を示す。
【００４９】
ユーザは、このユーザインターフェースを通じて、サーバ２２に追加コンタクト情報を容易に登録することができ、必要なコンタクト情報が送信されるようにすることができる。
【００５０】
移動通信端末１１は、基地局装置と通信する機能、位置登録要求を送信する機能の他、サーバ２２によって送信されたコンタクトリストを受信しメモリに格納する機能を有する。
【００５１】
図４は、サーバ２２から移動通信端末１１へ送信されるコンタクトリストのフォーマットの例であり、（ａ）はサーバ２２に６つのカテゴリまたは名称に対応するコンタクト情報（デフォルトデータ）が登録され、追加コンタクト情報および選択条件が未登録の場合のコンタクトリストのフォーマットの例、（ｂ）はデータベース２３に格納されたコンタクト情報の一部（ハッチングを施していないカテゴリまたは名称に対応するコンタクト情報（選択データ））を抽出の対象とするように登録サーバ２２に選択条件が登録されている場合のコンタクトリストのフォーマットの例、（ｃ）はサーバ２２に３つのカテゴリまたは名称に対応する追加コンタクト情報（登録データ）が登録されかつデータベース２３に格納された６つのカテゴリまたは名称に対応するコンタクト情報のすべてを抽出の対象とするように登録サーバ２２に選択条件が登録されている場合のコンタクトリストのフォーマットの例、および（ｄ）はサーバ２２に３つのカテゴリまたは名称に対応する追加コンタクト情報が登録されかつデータベース２３に格納されたコンタクト情報の一部を抽出の対象とするように登録サーバ２２に選択条件が登録されている場合のコンタクトリストのフォーマットの例をそれぞれ示す。
【００５２】
コンタクトリストが、コンタクトリストの送信を示す識別子をヘッダに含む制御用メールに含まれて移動通信端末１１へ送信される上記の例に従えば、移動通信端末１１は、制御用メールを受信し、制御用メールのヘッダにコンタクトリストの送信を示す識別子があるかどうかを判定し、コンタクトリストの送信であると示された場合には、特定のメニューや電話帳などのアプリケーションによってアクセスできるようにメモリに格納する。
【００５３】
図５は、サーバ２２から受信したコンタクトリストをメニューからアクセスできるようにメモリに格納した場合、移動通信端末１１の画面遷移の例を示す。この例では、サーバ２２から受信したコンタクトリストはメニューのうちの「在圏国情報」ボタン（あるいはアイコン）と関連づけられて移動通信端末１１のメモリに保存される。本実施形態では、「在圏国情報」ボタンは、移動通信端末１１の画面に表示されるものとしているが、移動通信端末１１に専用のハードウェアボタンを設けてもよい。
【００５４】
「在圏国情報」ボタンを選択すると、移動通信端末１１の画面にサーバ２２から受信したコンタクトリストが表示され、さらに、表示されたデータ中の電話番号、電子メールアドレス、及びＵＲＬを選択するとそれぞれ、電話の発呼、電子メールの発信、及びＵＲＬへのアクセスが可能となる。
【００５５】
図１を参照して、システム全体の処理フローを説明する。データベース２３には予め図６（ａ）に例示した複数のコンタクト情報が格納されているものとする。
【００５６】
移動通信端末１１は、電源投入や移動などによって海外網１０において在圏エリアが変更になった場合（図１の（１））、在圏先である海外網１０の位置登録システム１２（ＶＬＲ１３又はＳＧＳＮ１４）に対して、位置情報の登録や更新のための位置登録要求を送信する（図１の（２））。この位置登録要求には、移動通信端末１１のユーザに割り当てられた移動加入者識別子が含まれる。
【００５７】
次いで、移動通信端末１１から位置登録要求を受信した位置登録システム１２は、ホーム網２０の位置登録システム２１に対し、在圏エリアが変更になったことを、国情報などのエリア情報および移動加入者識別子を含めて通知する（図１の（３））。
【００５８】
位置登録システム２１は、海外網１０の位置登録システム１２から受信した移動加入者識別子およびエリア情報をサーバ２２へ通知する。
【００５９】
サーバ２２は、受信したエリア情報と一致するコンタクト情報をデータベース２３から抽出する（図１の（４））。ここで、図６（ｃ）に例示した選択条件がサーバ２２に格納されている場合には、サーバ２２は、選択条件により抽出すると示されかつ受信した移動通信端末１１のエリア情報と一致するコンタクト情報をデータベース２３から抽出する。さらに、図６（ｂ）に例示した追加コンタクト情報が受信した移動加入者識別子と関連づけられてサーバ２２に格納されている場合には、サーバ２２は、受信した移動通信端末１１のエリア情報と一致する追加コンタクト情報をさらに抽出する。
【００６０】
次いで、サーバ２２は、抽出したコンタクト情報および追加コンタクト情報を含むコンタクトリストを生成し、受信した移動加入者識別子によって識別される移動通信端末１１へ送信する（図１の（５））。
【００６１】
あるいは、サーバ２２は、予めエリア情報毎のコンタクトリストが生成されている場合には、受信したエリア情報および移動加入者識別子と一致するコンタクトリストを抽出して、受信した移動加入者識別子によって識別される移動通信端末１１へ抽出したコンタクトリストを送信する。
【００６２】
移動通信端末１１は、コンタクトリストを受信して、メモリに格納する。
【００６３】
以上のように、移動通信端末のユーザが在圏エリアを意識することなく、在圏エリアで必要かつユーザが意図したコンタクト情報を含むコンタクトリストを取得することができる。
【図面の簡単な説明】
【００６４】
【図１】本発明の実施形態にかかる移動通信システムの概略構成図である。
【図２】本発明の実施形態にかかるサーバが提供するユーザインターフェースの例を示す図であり、（ａ）はデフォルト状態を、（ｂ）はコンタクト情報の抽出の対象が選択された入力画面の状態をそれぞれ示す。
【図３】本発明の実施形態にかかるサーバが提供する別のユーザインターフェースの例を示す図である。
【図４】本発明の実施形態にかかるサーバから移動通信端末へ送信されるコンタクトリストのフォーマットの例を示す図である。
【図５】本発明の実施形態にかかる移動通信端末の画面遷移の例を示す図である。
【図６】本発明の実施形態にかかるサーバに格納される各種情報の例であり、（ａ）は本発明にかかるデータベースに予め格納された複数のコンタクト情報の例を、（ｂ）はサーバに格納された追加コンタクト情報の例を、（ｃ）はサーバに格納された選択条件の例をそれぞれ示す図である。
【符号の説明】
【００６５】
１０  海外網
１１  移動通信端末
１２  位置登録システム
１３  ＶＬＲ
１４  ＳＧＳＮ
２０  ホーム網
２１  位置登録システム
２２  サーバ
２３  データベース
３０  インターネット
３１  パーソナルコンピュータ
【図１】
2008048259.tif 000003
【図２】
2008048259.tif 000004
【図３】
2008048259.tif 000005
【図４】
2008048259.tif 000006
【図５】
2008048259.tif 000007
【図６】
2008048259.tif 000008